(57)【要約】      （修正有）【課題】目標を定めるための方向探知バーが着脱自在で長さ調節自在なゴルフパターを提供する。【解決手段】シャフトと、シャフトの下端に固定され、フェース面の幅がカップの直径に等しく、上面中央にフェース面と直交する溝１６が形成されたパターヘッド１１−１と、上面に長手方向の溝１５が形成された一対の方向探知バー１２−１と、パターヘッドの両端に方向探知バーを着脱自在、摺動自在もしくは回転自在に取り付けるための取付手段１３ａと、を備える。【選択図】図１
0003200046.tif 000002
【実用新案登録請求の範囲】
【請求項１】
シャフトと、
前記シャフトの下端に固定され、フェース面の幅がカップの直径に等しく、上面中央に前記フェース面と直交する溝が形成されたパターヘッドと、
上面に長手方向の溝が形成された一対の方向探知バーと、
前記パターヘッドの両端に前記方向探知バーを着脱自在、摺動自在もしくは回転自在に取り付けるための取付手段と、
を備えたことを特徴とするゴルフパター。
【請求項２】
シャフトと、
前記シャフトの下端に固定され、フェース面の幅がカップの直径に等しく、上面中央に前記フェース面と直交する溝が形成されたパターヘッドと、
上面に長手方向の溝が形成され、側面に長手方向の長穴が形成された一対の角柱状の方向探知バーと、
前記パターヘッドの両端に形成されたネジ穴に、前記各方向探知バーの長穴を貫通して締結される一対のネジと、
を備えたことを特徴とするゴルフパター。
【請求項３】
シャフトと、
前記シャフトの下端に固定され、フェース面の幅がカップの直径に等しく、上面中央に前記フェース面と直交する溝が形成されたパターヘッドと、
上面に長手方向の溝が形成され、側面に長手方向の長穴が形成された一対の角柱状の方向探知バーと、
前記パターヘッドの両端上側に、回動軸が前記シャフトとほぼ平行であって、前記側面から９０度開閉自在になるように設けられた一対の蝶番と、
前記各蝶番に形成されたネジ穴に、前記各方向探知バーの長穴を貫通して締結される一対のネジと、
を備えたことを特徴とするゴルフパター。
【請求項４】
シャフトと、
前記シャフトの下端に固定され、フェース面の幅がカップの直径に等しく、上面中央に前記フェース面と直交する溝が形成されたパターヘッドと、
前記フェース面の両端に設けられた一対の回動軸と、
一端が前記各回動軸に設けられ、側面にネジ穴が形成された一対の第一の板状部材と、
側面に長穴が形成された一対の第二の板状部材からなる方向探知バーと、
前記第一の板状部材にそれぞれ前記方向探知バーを摺動自在に固定する一対のネジと、
を備えたことを特徴とするゴルフパター。
【請求項５】
シャフトと、
前記シャフトの下端に固定され、フェース面の幅がカップの直径に等しく、上面中央に前記フェース面と直交する溝が形成されたパターヘッドと、
前記パターヘッドの上面両端に設けられた一対の回動軸と、
一端が前記各回動軸に設けられ、側面にネジ穴が形成された一対の第一の板状部材と、
側面に長穴が形成された一対の第二の板状部材からなる方向探知バーと、
前記第一の板状部材にそれぞれ前記方向探知バーを摺動自在に固定する一対のネジと、
を備えたことを特徴とするゴルフパター。
【請求項６】
シャフトと、
前記シャフトの下端に固定され、フェース面の幅がカップの直径に等しく、上面中央に前記フェース面と直交する溝が形成されたパターヘッドと、
前記パターヘッドの両端に一端が第一の保持部により回動固定自在に設けられた一対の筒状部材と、
前記筒状部材内に摺動自在に設けられた棒状部材からなる方向探知バーと、
前記筒状部材に設けられ、前記方向探知バーを所定の位置に固定する第二の保持部と、
を備えたことを特徴とするゴルフパター。
【請求項７】
前記方向探知バーの側面に目盛が形成され、前記方向探知バーの側面の長穴に前記ネジの頭部の直径より大きい貫通孔が形成されていることを特徴とする請求項１から５のいずれか一項記載のゴルフパター。
【考案の詳細な説明】
【技術分野】
【０００１】
本考案は、ゴルフパターに関する。
【背景技術】
【０００２】
近年、ゴルフの普及に伴い、ゴルフパターを含む種々のゴルフクラブが提案されている（例えば、特許文献１参照。）。
【先行技術文献】
【特許文献】
【０００３】
【特許文献１】特開２００６−２６１１８号公報
【０００４】
特許文献１に記載のゴルフパターは、ゴルフボールを目標とする方向に精度よく打ち出し得ることを目的とするものであり、具体的には、シャフトの先端に、ゴルフボールを打撃するためのフェース面を有するパターヘッドを設けたゴルフパターにおいて、パターヘッドの幅方向一端部又は両端部に、フェース面より打球方向に張り出すスイングガイド部が設けられるものである。
【考案の概要】
【考案が解決しようとする課題】
【０００５】
しかしながら、特許文献１に記載の発明は、スイングガイド部が目標とする方向に沿って形成されているものの、パターヘッドの上面に形成されたスイートスポットが短い点、スイングガイド部がシャフトと直交しているため、ヘッドカバーへの収納や取り出しに手間がかかる点、スイングガイド部の長さが固定されており、ユーザーの好みの長さに調整できない点等の問題も同時に発生していた。
【０００６】
本考案の目的は、上記課題に鑑みてなされたもので、目標を定めるための方向探知バーが着脱自在で長さ調節自在なゴルフパターを提供することにある。
【課題を解決するための手段】
【０００７】
かかる目的を達成するために、請求項１に係る考案は、シャフトと、前記シャフトの下端に固定され、フェース面の幅がカップの直径に等しく、上面中央に前記フェース面と直交する溝が形成されたパターヘッドと、上面に長手方向の溝が形成された一対の方向探知バーと、前記パターヘッドの両端に前記方向探知バーを着脱自在、摺動自在もしくは回転自在に取り付けるための取付手段と、を備えたことを特徴とする。
【考案の効果】
【０００８】
本考案によれば、目標が定めやすく、目標を定めるための方向探知バーが着脱自在で長さ調節自在なゴルフパターの提供を実現することができる。
【図面の簡単な説明】
【０００９】
【図１】本考案の一実施形態に係るゴルフパターのパターヘッドの平面図であり、（ｂ）は、（ａ）に示したパターヘッドの方向探知バーをシャフトに平行に回動させた状態を示す平面図であり、（ｃ）は、（ａ）の側面図であり、（ｄ）は、（ｂ）の側面図である。
【図２】ゴルフ場やゴルフ練習場に配置されるカップの外観斜視図である。
【図３】図１に示したゴルフパター10-1をゴルファーＧが振る状態を示す図である。
【図４】（ａ）は、本考案の他の実施形態に係るゴルフパターの拡散分解斜視図であり、（ｂ）は、（ａ）の方向探知バーを装着した場合の拡大側面図であり、（ｃ）は、（ｂ）の方向探知バーを移動させた場合を示す図であり、（ｄ）は、（ｂ）のIVd−IVd線断面図である。
【図５】（ａ）は、本考案の他の実施形態を示すゴルフパターのパターヘッドの平面図であり、（ｂ）は、（ａ）の側面図であり、（ｃ）、（ｄ）は、（ａ）に示したパターヘッドの方向探知バーの折り畳み途中を示す平面図であり、（ｅ）は、（ａ）に示したパターヘッドの方向探知バーを折り畳んだときの正面面である。
【図６】（ａ）は、本考案の他の実施形態を示すゴルフパターのパターヘッドの平面図であり、（ｂ）は、（ａ）の方向探知バーが閉じたときの正面図であり、(ｃ)は、（ｂ）の方向探知バーが開いた時の側面図である。
【図７】（ａ）は、本考案の他の実施形態を示すゴルフパターのパターヘッドの平面図であり、（ｂ）は、（ａ）に示したゴルフパターの第一の板状部材を閉じた状態を示す正面図であり、（ｃ）は、（ａ）に示したゴルフパターの第一の板状部材を開いた状態を示す側面図である。
【図８】（ａ）は、本考案の他の実施形態を示すゴルフパターのパターヘッドの平面図であり、（ｂ）は、（ａ）に示したパターヘッドに用いられる部品の外観図であり、（ｃ）は、（ａ）に示したゴルフパターの側面図であり、（ｄ）は、（ｃ）に示したパターヘッドの方向探知バーを後方に倒した状態を示す側面図である。
【図９】本考案の変形例を示す外観斜視図である。
【考案を実施するための形態】
【００１０】
＜概要＞
ハイブリッド  パター（ＨＹＢＲＩＤ  ＰＡＴＴＥＲ）と呼ばれる、本考案のゴルフパターは、目標ホールへの方向の正確性を容易に図る為、パターヘッドの両端に目標ホールと同寸法間隔の「長短調整、及び着脱可能」な方向探知バーを設置したパターである。
本考案のゴルフパターは、目標ホールの両端（２ヶ所）及びセンター（１ヵ所）の合計３ヶ所の目標を同時にとらえる（狙える）事や、更に「目標方向への誤差の修正や正確性」を高めることが出来、ホールインの確率を格段に向上させることができる、ハイブリッドパターとして考案されたものである。
＜実施形態１＞
図１（ａ）は、本考案の一実施形態に係るゴルフパターのパターヘッドの平面図であり、図１（ｂ）は、図１（ａ）に示したパターヘッドの方向探知バーをシャフトに平行に回動させた状態を示す平面図であり、図１（ｃ）は、図１（ａ）の側面図であり、図１（ｄ）は、図１（ｂ）の側面図である。以下、同様の部材には共通の符号が用いられている。
【００１１】
ゴルフパター10-1は、シャフト90と、シャフト90の下端に固定され、フェース面の幅が後述するカップの直径に等しく、上面中央にフェース面と直交する溝16が形成されたパターヘッド11-1と、上面に長手方向の溝15が形成され、側面に長手方向の長穴14が形成された一対の角柱状の方向探知バー12-1と、パターヘッド11-1の両端に形成されたネジ穴11-1aに、各方向探知バー12-1の長穴14を貫通して締結される一対のなべネジ13aと、を備えたものである。溝15、長穴14、及びなべネジ13aが取付手段を構成している。
【００１２】
すなわち、ゴルフパター10-1は、シャフト90と、シャフト90の下端に取り付けられたパターヘッド11-1と、パターヘッド11-1の両端に着脱自在、かつ摺動自在に取り付けられた角柱状の方向探知バー12-1と、を有する。パターヘッド11-1は、フェース面の幅が後述するカップ（ホールとも言う）100（図２）の直径に等しく、上面中央にフェース面と直交する溝16が形成されている。両方向探知バー12-1の上面にも長手方向の溝15がそれぞれ形成されている。溝15は溝16よりも長く形成されている。これらの溝15,16は後述するボール１の打球方向を決定するための照準機能を有する。すなわち、本ゴルフパター10-1は、目標が定めやすいという効果が得られる。
【００１３】
方向探知バー12-1は、側面に長手方向に沿って長穴14が形成されている。長穴14の短手方向の幅はなべネジ13aの胴部の直径より大きく、なべネジ13aの頭部の直径より小さい幅を有している。このため、なべネジ13aにより、パターヘッド11-1の両端にネジ止め可能である。方向探知バー12-1は、なべネジ13aをプラスドライバー等で緩めることによりパターヘッド11-1の前後方向に位置をずらすことができ、所望の位置でなべネジ13aを締結することでパターヘッド11-1の両端に固定できる。
【００１４】
方向探知バー12-1のサイズは図ではボール１の直径の２倍程度であるが、本考案はこれに限定されるものではなく、ユーザーの好みに応じた長さに形成してもよい。また、方向探知バー12-1の端部は丸みを帯びた場合で説明したが、本考案はこれに限定されるものではなく、少なくとも前端が平面であってもよい。方向探知バー12-1の材質は、金属、樹脂、木、セラミックもしくはこれらの組み合わせのいずれであってもよい。
また、方向探知バー12-1の一端（図１（ｄ）では右端）をなべネジ13aに合わせるとともにシャフト90に沿うようにしてなべネジ13aを締結することにより、ヘッドカバー等への出し入れが容易になる。
また、方向探知バー12-1は必要な場合にのみ装着し、方向探知バー12-1が必要でない場合には取り外してもよいのは言うまでもない。
【００１５】
図２は、ゴルフ場やゴルフ練習場に配置されるカップの外観斜視図である。
カップ100の直径は、規定（ゴルフ規則第2章  用語の定義26  ホール（Hole）：「ホール」の直径は4.25インチ（108ミリメートル）、深さは少なくとも4.0インチ（101.6ミリメートル）以上でなければならない。）により108ｍｍであり、深さは101.6ｍｍ以上である。尚、ボールの直径は42.6ｍｍである。
ボールが打球位置からカップ100まで転がる軌道をラインといい、カップ100へのラインには図２の右からライトサイド、ライトインナーサイド、センターサイド、センター、センターレフト、レフトインナーサイド、及びレフトサイドの７つある。
【００１６】
通常、カップ100は、ベントと呼ばれる芝生に形成されている。芝生は水平面状に形成されているとは限らず斜面に形成されている場合もあり、また、芝生にも芝目と呼ばれる、芝生の生えている方向や見え具合がある。さらに芝目には、順目と逆目とがあり、順目は芝がボールからカップ100に向かって寝ている（流れている）ことを言い、逆目はカップ100からボールに向かって芝が寝ている状態を言う。順目の場合、ボールのスピードが速くなり、逆目の場合、ボールのスピードが遅くなる。
これら芝生の状態（平面、斜面、芝目等）や風向き等の諸条件を考慮したうえでカップ100のどのラインを狙ってゴルフパターを振るかが決定される。
【００１７】
図３は、図１に示したゴルフパター10-1をゴルファーＧが振る状態を示す図である。
ゴルファーＧからカップ100までの距離は、通常数ｍ〜十数ｍと言われている。パッティンググリーンが水平の場合、パターヘッド11-1の上面に形成された溝16と、パターヘッド11-1の両端に設けられた方向探知バー12-1の上面に形成された溝15との計３つの溝でカップ100を狙うことになる。すなわち、ゴルファーＧに近い方の方向探知バー12-1の溝15でレフトサイド、パターヘッド11-1の溝16でセンター、残りの方向探知バー12-1の溝15で指標としてのライトサイドを狙うことになる。
これに対して、パッティンググリーンが傾斜していた場合、パターヘッド11-1の溝15,16をカップ100より上方にカップ１個分だけずれた所を指標として狙うことになる。
【００１８】
ここで、方向探知バー12-1は、パターヘッド11-1に対して打球方向もしくは逆方向にスライドさせて固定することができるので、ゴルファーＧの好みに応じて予め調整することができる。ゴルフ競技において、１番ホールのドライバーショットよりも最後の18番ホールのパターの方がゴルファーＧの緊張度が高く、優勝戦では極めて高いと言われている。
このような場合、パターヘッド11-1の溝16に加え、予め好みの位置に調整された方向探知バー12-1の溝15の３つの溝を利用することでカップ100のラインへの目標が定めやすくなるので、ゴルファーＧにとって他者より有利となる。
【００１９】
＜実施形態２＞
図４（ａ）は、本考案の他の実施形態に係るゴルフパターの拡散分解斜視図であり、図４（ｂ）は、図４（ａ）の方向探知バーを装着した場合の拡大側面図であり、図４（ｃ）は、図４（ｂ）の方向探知バーを移動させた場合を示す図であり、図４（ｄ）は、図４（ｂ）のIVd−IVd線断面図である。
【００２０】
図４（ａ）に示すゴルフパター10-2は、パターヘッド11-3の両端上部に形成された切欠き部に着脱自在に形成されている。角柱状の方向探知バー12-2には、長手方向の溝22と、溝22内に形成された長穴14と、溝22に沿った目盛21とが形成されている。ゴルファーＧは目盛21に形成された数値やマーク（図では三角であるが限定されない。）を考慮して方向探知バー12-2を好みの位置に固定することができる。尚、目盛21は他の実施の形態に適用してもよいことは言うまでもない。また、目盛21の数値や数字の書体は本実施形態に限定されるものではない。
【００２１】
方向探知バー12-2は、平ネジ13bを緩めてから任意の位置まで摺動させて締結することで任意の位置に固定することができ、不要な場合には取り外すことができる。尚、平ネジ13b、長穴14、溝22で取付手段が構成されている。
方向探知バー12-2は、溝22内の破線で示す位置に平ネジ13bの頭部より大きい貫通孔20が形成されている場合、平ネジ13bを緩め、平ネジ13bと貫通孔20とが合うように方向探知バー12-2を摺動させることで、パターヘッド11-3から方向探知バー12-2を容易に外すことができる。方向探知バー12-2を外した場合、平ネジ13bをパターヘッド11-3に装着したままにしておくと、紛失のおそれが少ない。尚、貫通孔20は他の実施の形態に適用してもよい。
【００２２】
＜実施形態３＞
図５（ａ）は、本考案の他の実施形態を示すゴルフパターのパターヘッドの平面図であり、図５（ｂ）は、図５（ａ）の側面図であり、図５（ｃ）、（ｄ）は、図５（ａ）に示したパターヘッドの方向探知バーの折り畳み途中を示す平面図であり、図５（ｅ）は、図５（ａ）に示したパターヘッドの方向探知バーを折り畳んだときの正面面である。
【００２３】
図５（ａ）〜（ｅ）に示した実施形態の図１（ａ）〜（ｄ）に示した実施の形態との相違点は、方向探知バーがフェース面側に折り畳み可能な点である。
【００２４】
すなわち、ゴルフパター10-3は、フェース面の幅がカップ100の直径に等しく、上面にフェース面と直交する溝16が形成されたパターヘッド11-4と、パターヘッド11-4の両側面上端に、回動軸がシャフト90とほぼ平行であって、両側面から90度開閉自在になるように設けられた一対の蝶番21と、長手方向に長穴14が形成され、各蝶番21になべネジ13ａにより緩締自在に取り付け可能な一対の角柱状部材からなる方向探知バー12-2と、を備えたものである。なべネジ13a、長穴14、及び蝶番21で取付手段が構成されている。
蝶番21及び方向探知バー12-2は鉄、銅、アルミニウム、合金等の金属で構成されている。
【００２５】
パターヘッド11-4の両端には金属製のなべネジ13aの胴部が挿入可能な凹部が形成されている。蝶番21の回同軸はゴルファーＧが指で開閉できる程度の摩擦力を有していてもよく、方向探知バー12-2に永久磁石を張り付けておき、図５（ａ）または図５（ｄ）のいずれかの状態を保持できるようにしてもよい。
【００２６】
このゴルフパター10-3は、収納時には図５（ｄ）のようにしてゴルフカバーに収納し、使用時には図５（ａ）のようにすることで図１（ａ）〜（ｄ）に示したゴルフパター10-1と同様の効果が得られる。
【００２７】
＜実施形態４＞
図６（ａ）は、本考案の他の実施形態を示すゴルフパターのパターヘッドの平面図であり、図６（ｂ）は、図６（ａ）の方向探知バーが閉じたときの正面図であり、図６(ｃ)は、図６（ｂ）の方向探知バーが開いた時の側面図である。
【００２８】
図６（ａ）〜（ｃ）に示した実施形態の図１（ａ）〜（ｄ）に示した実施形態との相違点は、方向探知バーがフェース面の前面で開閉可能な点である。
【００２９】
すなわち、ゴルフパター10-4は、フェース面の幅がカップの直径に等しく、上面中央にフェース面と直交する溝16が形成されたパターヘッド11-5と、フェース面の両端に設けられた一対の回動軸35,36と、一端が各回動軸35,36に設けられ、側面にネジ穴31aが形成された一対の第一の板状部材31と、側面に長穴34が形成された一対の第二の板状部材からなる方向探知バー32と、第一の板状部材31にそれぞれ方向探知バー32を摺動自在に固定する一対のネジ33と、を備えたものである。
回動軸35,36、板状部材31、方向探知バー32は、金属で構成されている。
【００３０】
第一の板状部材31と回同軸35,36とは自重ではなく、ゴルファーＧが指で回動できる程度の摩擦力を有するように固めに構成してもよいが、以下の手段を用いてもよい。
【００３１】
すなわち、第一の板状部材31を、回同軸35を介してパターヘッド11-5の上面に回動自在なレバー70と連結させる。レバー70の上部にツマミ71を設け、レバー70のツマミ71の反対側に突起を形成しておく。パターヘッド11-5の上面のツマミ71の位置に凹部72を形成し、レバー70を90度回動した位置に凹部73を形成しておく。レバー70のツマミ71が凹部72の位置にあるときは第一の板状部材31はフェース面を覆う位置にあり、レバー70のツマミ71を矢印方向に90度回動させると、ツマミ71の反対側の突起は凹部73の位置に保持されるとともに、第一の板状部材31は一点鎖線の位置に保持される。残りの第一の板状部材31も同様に構成されており、パターヘッド11-5の下面のツマミを回動させることにより破線で示す位置に保持することができる。ネジ33、長穴34、回動軸35,36、レバー70、及びツマミ71で取付手段が構成されている。
【００３２】
このゴルフパター10-4も、収納時には図６（ｂ）のようにしてゴルフカバーに収納し、使用時には図６（ｃ）のようにすることで図１（ａ）〜（ｄ）に示したゴルフパター10-1と同様の効果が得られる。
【００３３】
＜実施形態５＞
図７（ａ）は、本考案の他の実施形態を示すゴルフパターのパターヘッドの平面図であり、図７（ｂ）は、図７（ａ）に示したゴルフパターの第一の板状部材を閉じた状態を示す正面図であり、図７（ｃ）は、図７（ａ）に示したゴルフパターの第一の板状部材を開いた状態を示す側面図である。
【００３４】
図７（ａ）〜（ｃ）に示した実施の形態の図６（ａ）〜（ｃ）に示した実施の形態との相違点は、第一の板状部材及び方向探知バーがパターヘッドの上面に配置されている点である。
【００３５】
すなわち、ゴルフパター10-5は、フェース面の幅がカップ100の直径に等しく、上面中央にフェース面と直交する溝16が形成されたパターヘッド11-6と、パターヘッド11-6の上面両端に設けられた一対の回動軸37,38と、一端が各回動軸37,38に設けられ、側面にネジ穴31aが形成された一対の第一の板状部材31と、側面に長穴34が形成された一対の第二の板状部材からなる方向探知バー32と、第一の板状部材31にそれぞれ方向探知バー32を長手方向に摺動自在に固定する一対のネジ33と、を備えたものである。ネジ穴31a、ネジ33、及び回動軸37,38で取付手段が構成されている。
【００３６】
第一の板状部材31及び回同軸37,38は、パターヘッド11-6の傾きによって自重で開閉するのではなく、ゴルファーＧが指で回動できる程度の摩擦力を有するように固めに構成するのが好ましい。
【００３７】
このゴルフパター10-5も、収納時には図７（ｂ）のようにしてゴルフカバーに収納し、使用時には図７（ｃ）のようにすることで図１（ａ）〜（ｄ）に示したゴルフパター10-1と同様の効果が得られる。
【００３８】
＜実施形態６＞
図８（ａ）は、本考案の他の実施形態を示すゴルフパターのパターヘッドの平面図であり、図８（ｂ）は、図８（ａ）に示したパターヘッドに用いられる部品の外観図であり、図８（ｃ）は、図８（ａ）に示したゴルフパターの側面図であり、図８（ｄ）は、図８（ｃ）に示したパターヘッドの方向探知バーを後方に倒した状態を示す側面図である。
【００３９】
図８（ａ）〜（ｄ）に示した実施の形態と、図１（ａ）〜（ｄ）に示した実施の形態との相違点は、方向探知バーがパターヘッドの両端で回動自在かつ、伸縮自在に構成された点である。
【００４０】
すなわち、図８（ａ）〜（ｄ）に示したゴルフパター10-6は、フェース面の幅がカップの直径に等しく、上面中央にフェース面と直交する溝が形成されたパターヘッド11-7と、パターヘッド11-7の両端に一端が第一の保持部51により回動固定自在に設けられた一対の筒状部材40と、筒状部材40内に摺動自在に設けられた棒状部材からなる方向探知バー41と、筒状部材40に設けられ、方向探知バー41を所定の位置に固定する第二の保持部52と、を備えたものである。
【００４１】
パターヘッド11-7の両端には断面円形形状の凹部47が形成されている。両凹部47にはそれぞれ第一の保持部51が回動自在に装着されている。第一の保持部51は、ネジ42、ナット付回動軸44、及びナット付回動軸44の軸部45に装着された王冠状バネ46を有する。ナット付回動軸44のナット部には中心軸に直交する貫通孔が形成され、この貫通孔には筒状部材40が摺動自在に挿入されている。筒状部材40には棒状の方向探知バー41が摺動自在に挿入されている。筒状部材40は、ネジ42を締結することにより所望の位置に固定することができる。方向探知バー41は第二の保持部52としてのネジ43を締結することにより所望の位置に固定することができる。ナット付回動軸44は軸部45に王冠状バネ46が装着されており、ナット付回動軸44の軸部45を凹部47に挿入すると、バネ46が凹部47の内壁を押圧するので、ナット付回動軸44を任意の角度で保持することができる。ネジ42、43、ナット付回動軸44、軸部45、王冠バネ46、及び凹部47で取付手段が構成されている。
【００４２】
これら筒状部材40、方向探知バー41、バネ46、第二の保持部52、ナット付回動軸44、及び第一の保持部51は、鉄、アルミニウム、合金等の金属からなる。
【００４３】
このゴルフパター10-6は、方向探知バー41をナット付回動軸44ごとパターヘッド11-7から取り外すか、方向探知バー41を筒状部材40内に収納してシャフト90に沿うようにすることでヘッドカバーへの収納取り出しが容易となる。また、筒状部材40から方向探知バー41を任意の長さにネジ43で固定し、前方または後方に向けてネジ42で固定することで使用可能となる。
使用時には図７（ｃ）のようにすることで図１（ａ）〜（ｄ）に示したゴルフパター10-1と同様の効果が得られる。
以上より、本実施形態によれば、目標を定めるための方向探知バーが着脱自在で長さ調節自在なゴルフパターの提供を実現することができる。
【００４４】
＜変形例＞
図９は、本考案の変形例を示す外観斜視図である。
図９に示した実施の形態と、図１（ａ）〜（ｄ）に示した実施の形態との相違点は、パターヘッド11-8と、方向探知バー12とが一体化され、方向探知バー12の後部が前部より長い点である。
【００４５】
このようなゴルフパター10も三つの溝15,16を有するのでカップ100への目標が定めやすい。
【００４６】
なお、上記実施形態は、本考案における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、実用新案登録請求の範囲に記載された考案の内容を限定するものではない。
【００４７】
例えば、上述した実施の形態では、方向探知バーが角柱状の部材もしくは棒状の部材で構成した場合で説明したが、本考案はこれに限定したものではなく、方向探知バーを、パターヘッドに着脱自在であって、長手方向の溝もしくは線が記載された角柱状の筐体と、筐体内に収容されたレーザービーム照射部と、電池と、スイッチと、で構成し、練習時にはスイッチをオンにしてレーザービームで打球位置からカップまでの照準を合わせ、本番時にはスイッチをオフにして溝もしくは線で照準を合わせるようにしてもよい。
また、上述した実施の形態では、方向探知バーが角柱状の部材の場合について説明したが、本考案はこれに限定されるものではなく、断面形状が三角形状、多角形状、円形状、楕円形状のいずれであっても良い。
さらに、取付手段としては、ネジに限定されるものではなく、パターヘッドの両端に溝を形成しておき、方向探知バーをテーパ状にして装着自在に構成してもよく、パターヘッド及び方向探知バーを磁石で保持するように構成してもよい。
【符号の説明】
【００４８】
１    ボール
１０−１、１０−２、１０−３、１０−４、１０−５、１０−６、１０−７    ゴルフパター
１１−１、１１−２、１１−３、１１−４、１１−５、１１−６、１１−７、１１−８    パターヘッド
１２−１、１２−２    方向探知バー
１３ａ    なべネジ
１３ｂ    平ネジ
１４    長穴
１５、１６    溝
２１    蝶番
９０    シャフト
【図１】
0003200046.tif 000003
【図２】
0003200046.tif 000004
【図３】
0003200046.tif 000005
【図４】
0003200046.tif 000006
【図５】
0003200046.tif 000007
【図６】
0003200046.tif 000008
【図７】
0003200046.tif 000009
【図８】
0003200046.tif 000010
【図９】
0003200046.tif 000011